(57)【要約】【課題】大きな強度を確保しつつ腐食を抑制できる釣竿用リールシートとそれを備えた釣竿を提供する。【解決手段】金属製の筒状のリールシート本体１を備えた釣竿用リールシートであって、リールシート本体１は、リール脚の裏面が当接する箇所に、樹脂製の脚支持部材４１，４２を備えており、リールシート本体１は、内外方向に貫通した取付孔を軸線方向に離間して一対有し、該取付孔に脚支持部材４１，４２が埋設されており、一対の脚支持部材４１，４２はリール脚の両端部をそれぞれ支持する。【選択図】図１
2020110125.tif 000002
【特許請求の範囲】
【請求項１】
金属製の筒状のリールシート本体を備えた釣竿用リールシートであって、
リールシート本体は、リール脚の裏面が当接する箇所に、樹脂製の脚支持部材を備えている、釣竿用リールシート。
【請求項２】
リールシート本体は、内外方向に貫通した取付孔を有し、該取付孔に脚支持部材が埋設されている請求項１記載の釣竿用リールシート。
【請求項３】
リールシート本体は、取付孔を軸線方向に離間して一対有し、両取付孔にそれぞれ脚支持部材が埋設されており、一対の脚支持部材はリール脚の両端部をそれぞれ支持する請求項２記載の釣竿用リールシート。
【請求項４】
脚支持部材の外面の周方向の両端部は、リールシート本体の外周面から外側に突出している請求項１乃至３の何れかに記載の釣竿用リールシート。
【請求項５】
脚支持部材の内面は、リールシート本体の内周面に沿って周方向に湾曲しており、脚支持部材の外面は、略水平な平面である請求項４記載の釣竿用リールシート。
【請求項６】
請求項１乃至５の何れかに記載の釣竿用リールシートを備えた釣竿。
【発明の詳細な説明】
【技術分野】
【０００１】
本発明は、釣竿にリールを固定するためのリールシートとそれを備えた釣竿に関する。
【背景技術】
【０００２】
大物用の釣竿には、筒状のリールシートにも大きな強度が求められる。そのため、下記特許文献１のように金属製のリールシートが使用されることがある。釣竿に外装着される筒状のリールシート本体は金属製の筒体から構成され、そのリールシート本体にリールのリール脚が載置される。リール脚は前後から一対のフードにより狭持される。しかしながら、リール脚は金属製であるため、リール脚が当接するリールシート本体の部分が腐食しやすい。
【先行技術文献】
【特許文献】
【０００３】
【特許文献１】特開２００６−１８０８０１号公報
【発明の概要】
【発明が解決しようとする課題】
【０００４】
本発明は、大きな強度を確保しつつ腐食を抑制できる釣竿用リールシートとそれを備えた釣竿を提供することを課題とする。
【課題を解決するための手段】
【０００５】
本発明に係る釣竿用リールシートは、金属製の筒状のリールシート本体を備えた釣竿用リールシートであって、リールシート本体は、リール脚の裏面が当接する箇所に、樹脂製の脚支持部材を備えている。
【０００６】
該構成のリールシートは、金属製のリールシート本体を備えている。そのため、大物を釣るための十分な強度を確保することができる。また、金属製のリールシート本体のリール脚の裏面が当接する箇所には樹脂製の脚支持部材が設けられているので、樹脂製の脚支持部材にリール脚が支持される。そのため、リール脚が接触することに起因したリールシート本体の腐食が抑制される。
【０００７】
特に、リールシート本体は、内外方向に貫通した取付孔を有し、該取付孔に脚支持部材が埋設されていることが好ましい。このように脚支持部材がリールシート本体の取付孔に埋設されていると、脚支持部材を釣竿の中心に向けて接近させることができ、フードの大型化を抑制でき、リールシートの過度の大径化を抑制することができる。
【０００８】
更に、リールシート本体は、取付孔を軸線方向に離間して一対有し、両取付孔にそれぞれ脚支持部材が埋設されており、一対の脚支持部材はリール脚の両端部をそれぞれ支持することが好ましい。尚、軸線方向とは、リールシート本体の中心線の方向である。このようにリール脚の両端部が脚支持部材によって支持されることにより、リールシート本体の腐食をより一層抑制できる。また、リール脚の両端部を一つの大きな脚支持部材によって支持する構成に比して、取付孔のトータルの面積を小さくすることができる。そのため、取付孔を形成することに伴うリールシート本体の強度低下を抑制することができる。
【０００９】
また、脚支持部材の外面の周方向の両端部は、リールシート本体の外周面から外側に突出していることが好ましい。尚、周方向とは、リールシート本体の中心線の方向に対して直交する方向である。脚支持部材の外面はリール脚を支持する支持面である。その脚支持部材の外面の周方向の両端部がリールシート本体の外周面から外側に突出していると、支持面の幅を拡大することができ、幅広のリール脚を脚支持部材によって安定して支持することができる。
【００１０】
更に、脚支持部材の内面は、リールシート本体の内周面に沿って周方向に湾曲しており、脚支持部材の外面は、略水平な平面であることが好ましい。このように脚支持部材の内面がリールシート本体の内周面に沿って周方向に湾曲していると、脚支持部材の内面と釣竿の竿本体との接触が防止される。一方、脚支持部材の外面が略水平な平面であると、支持面の幅を容易に拡大することができる。また、脚支持部材の側面を拡大できるので、脚支持部材の側面をリールシート本体の取付孔の壁面にしっかりと固定できる。
【００１１】
また、本発明に係る釣竿は、上述したにリールシートを備えている。
【発明の効果】
【００１２】
以上のように、金属製の筒状のリールシート本体に局所的に樹脂製の脚支持部材を備えることによって、大きな強度を確保しつつリールシート本体の腐食を抑制することができる。
【図面の簡単な説明】
【００１３】
【図１】本発明の一実施形態におけるリールシートを示す斜視図。
【図２】同リールシートの縦断面図。
【図３】同リールシートにおいて移動フードを外した状態を示す斜視図。
【図４】同リールシートの正面図。
【図５】同リールシートの平面図。
【図６】図４のＡ−Ａ断面図。
【図７】図４のＢ−Ｂ断面図。
【図８】図４のＣ−Ｃ断面図。
【図９】図４のＤ−Ｄ断面図。
【図１０】同リールシートの本体筒を示す斜視図。
【図１１】同本体筒の正面図。
【図１２】同本体筒の平面図。
【図１３】同本体筒の縦断面図。
【図１４】同リールシートの脚支持部材を示し、（ａ）は外面側から見た斜視図、（ｂ）は内面側から見た斜視図。
【図１５】同脚支持部材を示し、（ａ）は正面図、（ｂ）は平面図。
【図１６】同リールシートにリールのリール脚を取り付けた使用状態を示す縦断面図。
【図１７】図１６のＥ−Ｅ断面図。
【発明を実施するための形態】
【００１４】
以下、本発明の一実施形態に係る釣竿用リールシートについて図１〜図１７を参酌しつつ説明する。リールシートは、釣竿に図示しないリールを固定するためのものであって、釣竿の竿本体に装着されて使用される。図１及び図２のように、リールシートは、いわゆるパイプシートと称されるものであって、全体として筒状のものであり、竿本体の径方向外側に被せられるように装着される。リールシートは、竿本体の所定位置に接着により固定される。本実施形態のリールシートには、両軸リールを好適に取り付けることができるが、スピニングリールを取り付けてもよい。以下の説明では、両軸リールを取り付ける場合を想定して説明する。両軸リールは使用状態において釣竿の上側に位置する。そのため、図面ではリールが上側を向く状態を基準の状態としてリールシートを示している。尚、径方向外側を単に外側と称し、径方向内側を単に内側と称する。また、リールシート及び竿本体の中心線の方向を前後方向とし、竿先側を前側と、竿尻側を後側とする。また、リールシート及び竿本体の周方向を左右方向又は幅方向と称することがある。
【００１５】
＜全体構成＞
リールシートは、竿本体の外側に接着固定される筒状のリールシート本体１と、該リールシート本体１の外側に被せられて移動不能に接着固定された筒状の固定フード２と、リールシート本体１の外側に被せられ、リールシート本体１に対して回転不能であって且つ前後方向に移動可能な筒状の移動フード３と、該移動フード３を前後方向に締め付けるための筒状のナットとを備えている。ナットはダブルナット式とすることができる。
＜フード＞
固定フード２は、リール脚４の一端部４ａを保持するためのフード部２ａを有している。フード部２ａは、固定フード２の全周のうちの一部が局所的に外側に膨出して形成されたものであって、フード部２ａとリールシート本体１の外周面との間には所定の空間が形成される。その空間にリール脚４の一端部４ａが挿入される。固定フード２は、硬質の材質からなるフード本体２０と、該フード本体２０よりも軟質の材質からなる保持部材２１とを備えている。フード本体２０は、好ましくは金属製である。保持部材２１は、例えば合成樹脂から構成される。保持部材２１は、フード本体２０の内側に固定されていて、フード部２ａの内面を構成する。フード部２ａの内側の挿入されたリール脚４の一端部４ａは保持部材２１に当接し、特に、リール脚４の一端部４ａの外面が保持部材２１に当接する。保持部材２１によってリール脚４の一端部４ａをガタツキ少なく安定して固定できる。
【００１６】
移動フード３は、固定フード２と同様の構成である。即ち、移動フード３は、リール脚４の他端部４ｂを保持するためのフード部３ａを有している。フード部３ａは、移動フード３の全周のうちの一部が局所的に外側に膨出して形成されたものであって、フード部３ａとリールシート本体１の外周面との間には所定の空間が形成される。その空間にリール脚４の他端部４ｂが相対的に挿入される。移動フード３は、硬質の材質からなるフード本体３０と、該フード本体３０よりも軟質の材質からなる保持部材３１とを備えている。フード本体３０は、好ましくは金属製である。保持部材３１は、例えば合成樹脂から構成される。保持部材３１は、フード本体３０の内側に固定されていて、フード部３ａの内面を構成する。フード部３ａの内側の挿入されたリール脚４の他端部４ｂは保持部材３１に当接し、特に、リール脚４の他端部４ｂの外面が保持部材３１に当接する。保持部材３１によってリール脚４の他端部４ｂをガタツキ少なく安定して固定できる。
【００１７】
リールシートの前後の向きは何れであってもよく、固定フード２が前側に位置する使用態様であってもよいし後側に位置する使用態様であってもよい。固定フード２が後側に位置し、移動フード３が前側に位置する使用態様の場合、固定フード２のフード部２ａは前側に開口し、移動フード３のフード部３ａは後側に開口する。固定フード２と移動フード３は互いに周方向の位相が合わせられ、固定フード２のフード部２ａと移動フード３のフード部３ａはそれぞれ対向して位置する。リールを上側にセットする構成を前提とすると、固定フード２のフード部２ａと移動フード３のフード部３ａは何れも上側に位置して互いに前後に対向する。リールシート本体１の外周面の上面にリール脚４が載置され、固定フード２のフード部２ａにはリール脚４の後端部が挿入され、移動フード３のフード部３ａにはリール脚４の前端部が挿入される。ナットを締め付けることでリール脚４を固定フード２と移動フード３とで前後に狭持できる。
【００１８】
＜リールシート本体１＞
リールシート本体１は、その一端部側の外周面に雄ネジ部１０を備えており、該雄ネジ部１０にナットが螺合する。リールシート本体１は、その上面に、リール脚４が取り付けられるリール脚取付部１１を有している。リール脚取付部１１の前後方向の一端部近傍に固定フード２が位置し、リール脚取付部１１の前後方向の他端部近傍に移動フード３が位置する。
【００１９】
＜本体筒４０＞
リールシート本体１は、本体筒４０と前後一対の脚支持部材４１，４２とを備えている。本体筒４０の単体の状態を図１０〜図１２に示している。本体筒４０は、リールシート本体１の大部分を占めている主要部である。本体筒４０は、全体として肉厚略一定の円筒状である。本体筒４０に雄ネジ部１０が形成されている。本体筒４０は金属製であって、例えばアルミニウム製である。本体筒４０の上面には、取付孔５１，５２が前後一対形成されている。前後一対の取付孔５１，５２は、リール脚取付部１１の前後方向の一端部近傍と他端部近傍にそれぞれ形成されている。前後一対の取付孔５１，５２は、互いに前後方向に離間している。
【００２０】
取付孔５１，５２は、本体筒４０の上面における外周面と内周面との間を内外方向に貫通しており、取付孔５１，５２を介して本体筒４０の内部空間と外部とが連通している。取付孔５１，５２の壁面は、全周に亘って、上下方向に沿っている。取付孔５１，５２は、上側から下側に向けて切削加工されたものである。取付孔５１，５２は、図１２のように上面から見た平面視において略五角形である。取付孔５１，５２は、平面視において、本体筒４０の中心線に対して左右対称形状である。取付孔５１，５２は、幅一定の部分と徐々に幅狭となっていく先細り形状の部分とを有しており、前後一対の取付孔５１，５２は、互いの先細り形状の部分が対向するようにして前後対称に配置されている。本体筒４０は、雄ネジ部１０が形成されたネジ領域と雄ネジ部１０が形成されていない非ネジ領域とに区画されるが、前後一対の取付孔５１，５２は非ネジ領域に形成されている。第一の取付孔５１は、本体筒４０の雄ネジ部１０とは反対側の端部近傍に位置し、第二の取付孔５２は、雄ネジ部１０の近傍に位置している。前後一対の取付孔５１，５２は、互いに前後対称関係にあるが、同一形状である。
【００２１】
本体筒４０の上面には、略一定幅で前後方向に沿って直線状に延びる帯状水平面５０が形成されている。帯状水平面５０は、本体筒４０の全長に亘って形成されており、雄ネジ部１０を横断しているが、雄ネジ部１０には形成されていなくてもよい。帯状水平面５０は、本体筒４０の径方向に対して直交した水平面である。帯状水平面５０を前後に分断するようにして、取付孔５１，５２が形成されている。従って、両取付孔５１，５２の間には帯状水平面５０が残存している。両取付孔５１，５２の間に位置する帯状水平面５０の部分は、リールシート本体１のリール脚取付部１１の中央部分を構成する。
【００２２】
本体筒４０の左右の側面には、それぞれ内外方向に貫通した横孔５３が形成されている。横孔５３は、左右の側面に、それぞれ前後一対ずつ形成されている。左右の側面の横孔５３は、互いに左右方向に対向している。前後一対の横孔５３は、何れも非ネジ領域に形成されている。前後一対の横孔５３のうちの一方は、第一の取付孔５１の近傍に位置し、他方は第二の取付孔５２の近傍に位置している。本実施形態では、前後の横孔５３は互いに異なる形状であるが同じ形状であってもよい。また、横孔５３を形成しなくてもよい。
【００２３】
＜脚支持部材４１，４２＞
脚支持部材４１，４２は、合成樹脂製である。脚支持部材４１，４２は、リールシート本体１の外周面のうちリール脚４の裏面が当接する箇所に設けられる。脚支持部材４１，４２は、本体筒４０の取付孔５１，５２に埋設される。本実施形態では、本体筒４０が前後一対の取付孔５１，５２を有しているため、両取付孔５１，５２にそれぞれ脚支持部材４１，４２が埋設される。両脚支持部材４１，４２は、互いに同一形状である。
【００２４】
脚支持部材４１，４２の単体の状態を図１４及び図１５に示している。図１５に左右方向、前後方向、上下方向をそれぞれ矢印Ｘ，Ｙ，Ｚで示している。脚支持部材４１，４２は、上下方向の寸法が小さい板状のものである。脚支持部材４１，４２は、取付孔５１，５２に対応した形状、大きさであって、取付孔５１，５２に挿入されて接着により固定される。即ち、脚支持部材４１，４２は取付孔５１，５２の壁面に接着固定される。脚支持部材４１，４２は、本体筒４０に取り付けられた際に外面となる上面６０と、本体筒４０に取り付けられた際に内面となる下面６１と、上面６０と下面６１とをつなぐ側面６２とを有している。脚支持部材４１，４２の上面６０は、略水平な平面である。符号６０ａは、上面６０の左右方向の端部である。脚支持部材４１，４２の下面６１は、幅方向即ち左右方向に沿って上側に向けて凹状に湾曲した湾曲面である。脚支持部材４１，４２の下面６１は、本体筒４０の内周面と同じ曲率半径を有して左右方向に湾曲している。このように脚支持部材４１，４２の上面６０が平面であるのに対して下面６１が凹状の湾曲面であることから、脚支持部材４１，４２の上下方向の寸法である厚さは、左右方向両端部（幅方向両端部）において最も厚く、左右方向中央部に向けて徐々に薄くなっていって左右方向中央部において最も薄くなっている。脚支持部材４１，４２の左右方向中央部における厚さは、図２のように、前後方向に沿って略一定であって、その厚さは、本体筒４０の上面６０の左右方向中央部における厚さと略同じである。脚支持部材４１，４２の左右方向両端部における厚さは、本体筒４０の肉厚よりも厚い。尚、脚支持部材４１，４２の下面６１には、前後方向に延びる凹溝６３が左右一対形成されている。脚支持部材４１，４２の側面６２は、全周に亘って、上下方向に沿った垂直面であり、上面６０に対して略直角である。
【００２５】
脚支持部材４１，４２は、図１５（ｂ）のように、平面視において取付孔５１，５２と同じ略五角形である。脚支持部材４１，４２は、平面視において、左右方向の幅が略一定である主部６４と、前後方向であって主部６４とは逆方向に向けて徐々に幅狭となる先細り部６５とから構成されて、全体として略五角形となっている。脚支持部材４１，４２は、平面視において左右対称形状である。主部６４は、平面視略長方形であり、先細り部６５は、平面視略三角形である。脚支持部材４１，４２の幅は主部６４の幅であるが、その幅は、固定フード２のフード部２ａや移動フード３のフード部３ａよりも狭い。また、脚支持部材４１，４２の幅は、本体筒４０の内径以下である。
【００２６】
本体筒４０に脚支持部材４１，４２を取り付けた状態を図１〜図９に示している。脚支持部材４１，４２の側面６２は、本体筒４０の取付孔５１，５２の壁面に全周に亘って当接あるいは若干の隙間を介して対峙し、脚支持部材４１，４２の側面６２が本体筒４０の取付孔５１，５２の壁面に接着固定される。脚支持部材４１，４２の下面６１は例えば図９のように本体筒４０の内周面と略面一となる。脚支持部材４１，４２の上面６０は、図２のように、左右方向中央部においては、本体筒４０の外周面と略面一となる。本体筒４０の外周面の上面６０には、帯状水平面５０が形成されているが、脚支持部材４１，４２の上面６０は本体筒４０の帯状水平面５０と略面一となる。従って、取付孔５１，５２によって部分的に除去された帯状水平面５０は、取付孔５１，５２に埋設された脚支持部材４１，４２によって補填され、前後一対の脚支持部材４１，４２の上面６０と共に前後方向に連続した一つの面となる。そして、前後一対の脚支持部材４１，４２の上面６０とその間に位置する帯状水平面５０とから、リールシート本体１のリール脚取付部１１が構成される。リール脚取付部１１の前後両端部にそれぞれ脚支持部材４１，４２が位置する。
【００２７】
脚支持部材４１，４２の主部６４は、本体筒４０の帯状水平面５０よりも幅広であり、脚支持部材４１，４２の上面６０の左右方向両端部６０ａは本体筒４０の外周面から外側に突出している。脚支持部材４１，４２の上面６０は、左右方向中央部においては本体筒４０の帯状水平面５０と略面一であるが、帯状水平面５０よりも左右方向の外側部分においては左右方向両端部６０ａに向けて徐々に本体筒４０の外周面からの突出量が大きくなっていき、左右方向両端部６０ａにおいて最も突出量が大きくなる。また、脚支持部材４１，４２の上面６０の左右両端部６０ａにおける本体筒４０の外周面からの突出量は、脚支持部材４１，４２の主部６４においては前後方向に沿って一定であるが、脚支持部材４１，４２の先細り部６５においては主部６４に向けて徐々に大きくなっていく。
【００２８】
図１及び図２のように、リールシート本体１に固定フード２と移動フード３が装着された状態において、第一の取付孔５１に埋設された第一の脚支持部材４１は、固定フード２の内側に部分的に位置する。詳細には、第一の脚支持部材４１の主部６４の略半分程度が固定フード２のフード部２ａの内側に位置し、先細り部６５は固定フード２のフード部２ａから露出した状態となる。第二の取付孔５２に埋設された第二の脚支持部材４２は、固定フード２に最接近させた状態における移動フード３のフード部３ａの内側に部分的に位置する。詳細には、第二の脚支持部材４２の主部６４の略半分程度が移動フード３のフード部３ａの内側に位置し、先細り部６５は移動フード３のフード部３ａから露出した状態となる。尚、図１及び図２の状態は、移動フード３を固定フード２に最接近させる少し手前の状態である。
【００２９】
リールをリールシートに取り付けた状態を図１６及び図１７に示している。但し、リールはリール脚４のみを図示している。固定フード２のフード部２ａに差し込まれたリール脚４の一端部４ａは、その裏面が第一の脚支持部材４１の上面６０に当接する。移動フード３のフード部３ａに差し込まれたリール脚４の他端部４ｂは、その裏面が第二の脚支持部材４２の上面６０に当接する。
【００３０】
図１６のように、リール脚４の裏面は、前後両端部４ａ，４ｂにおいて若干低く、その間の中央部において若干外面側に向けて高くなっている。従って、リール脚４の裏面のうち前後両端部４ａ，４ｂのみ両脚支持部材４１，４２の上面６０に当接する一方、リール脚４の裏面のうち前後方向中央部は脚支持部材４１，４２や本体筒４０の帯状水平面５０には当接せずに若干浮き上がった状態となる。また、図１７のように、リール脚４の裏面は、幅方向に沿って外面側に向けて凹状に湾曲している。従って、リール脚４の裏面のうち幅方向両端部のみが脚支持部材４１，４２の上面６０に当接する。
【００３１】
以上のように、金属製のリールシート本体１が合成樹脂製の脚支持部材４１，４２を備えていて、リール脚４の前後両端部４ａ，４ｂの裏面が前後の脚支持部材４１，４２に当接する。従って、リール脚４が金属製の本体筒４０に当接することを防止することができ、本体筒４０の腐食を防止できる。リール脚４がステンレス鋼製であって本体筒４０がアルミニウム製であるというように金属の種類が互いに異なっている場合には、本体筒４０にリール脚４が接触することで本体筒４０が電食しやすいが、リール脚４が本体筒４０には接触せずに脚支持部材４１，４２に当接するので、本体筒４０の電食が防止される。
【００３２】
また、脚支持部材４１，４２が本体筒４０に内外方向に貫通した取付孔５１，５２に挿入されて固定されているので、脚支持部材４１，４２の上面６０の左右方向中央部を本体筒４０の上面６０の帯状水平面５０と略面一にすることができる。そのため、固定フード２や移動フード３、リールシート本体１の大径化を抑制できる。また、両脚支持部材４１，４２が同一形状であるため、脚支持部材４１，４２の製造は容易である。
【００３３】
一方、脚支持部材４１，４２は前後に離間して一対設けられ、取付孔５１，５２も前後に離間している。そのため、取付孔５１，５２が前後方向に長い大型のものである構成に比して、取付孔５１，５２のトータルの面積を小さくすることができる。従って、取付孔５１，５２を本体筒４０の上面６０に形成することに伴う本体筒４０の強度低下を最小限に抑制することができる。尚、本体筒４０の左右両側面には横孔５３が形成されているが、釣竿には主として上下方向に力が作用し、左右方向に作用する力は小さいため、横孔５３を形成してもそれによる本体筒４０の強度低下への影響は考慮しなくてよい。一方、本体筒４０の上面６０に取付孔５１，５２を形成すると、取付孔５１，５２を形成しない場合に比して本体筒４０の強度は低下するが、取付孔５１，５２を前後に分散することで強度低下を最小限に抑制することができる。
【００３４】
また、脚支持部材４１，４２の上面６０が略水平な平面であって左右方向両端部６０ａが本体筒４０から外側に突出しているので、リール脚４を支持する支持面である上面６０の幅寸法を容易に拡大することができる。そのため、幅広のリール脚４であっても確実に支持することができ、リール脚４の取付状態が安定し、リールを釣竿に強固に固定することができる。一方、脚支持部材４１，４２の下面６１は本体筒４０の内周面に沿って左右方向に湾曲した湾曲面であるので、脚支持部材４１，４２が本体筒４０の内側には突出せず、竿本体との干渉が防止される。
【００３５】
尚、本実施形態では、脚支持部材４１，４２を前後一対設けたが、何れか一方のみであってもよい。また、例えば帯状水平面５０と略同幅の細長い形状の脚支持部材４１，４２を一つ設けてその脚支持部材４１，４２でリール脚４の前後両端部を支持するようにしてもよい。脚支持部材４１，４２の上面６０は、平面であることが好ましいが、左右方向に沿って外側凸に若干湾曲した湾曲面であってもよい。脚支持部材４１，４２の形状も任意であって、先細り部６５を有しない平面視略矩形のものであってもよい。
【符号の説明】
【００３６】
１    リールシート本体
２    固定フード
２ａ  フード部
３    移動フード
３ａ  フード部
４    リール脚
４ａ  一端部
４ｂ  他端部
１０    雄ネジ部
１１    リール脚取付部
２０    フード本体
２１    保持部材
３０    フード本体
３１    保持部材
４０    本体筒
４１    第一の脚支持部材
４２    第二の脚支持部材
５０    帯状水平面
５１    第一の取付孔
５２    第二の取付孔
５３    横孔
６０    上面（外面）
６０ａ  端部
６１    下面（内面）
６２    側面
６３    凹溝
６４    主部
６５    先細り部
【図１】
2020110125.tif 000003
【図２】
2020110125.tif 000004
【図３】
2020110125.tif 000005
【図４】
2020110125.tif 000006
【図５】
2020110125.tif 000007
【図６】
2020110125.tif 000008
【図７】
2020110125.tif 000009
【図８】
2020110125.tif 000010
【図９】
2020110125.tif 000011
【図１０】
2020110125.tif 000012
【図１１】
2020110125.tif 000013
【図１２】
2020110125.tif 000014
【図１３】
2020110125.tif 000015
【図１４】
2020110125.tif 000016
【図１５】
2020110125.tif 000017
【図１６】
2020110125.tif 000018
【図１７】
2020110125.tif 000019